(57)【要約】【課題】論理ディスクの差分コピーを実行する際に、当該コピー先となる論理ディスクに対する物理配置を再配置し、コピー性能及びホストライト性能を向上させることである。【解決手段】論理ディスクのコピーを実行した後、一旦コピー実行及びコピー先論理ディスクへのミラーライトを停止し、再度コピー及びミラーライトを再開する場合に、コピー実行停止中のコピー済み領域へのホストライトアクセスの発生をエクステント単位で管理し、データ差分が存在するコピー元論理ディスクの論理エクステントに関して、対応するコピー先論理ディスク領域の物理エクステントの割り当てを一旦解放し、コピー実行及びホストミラーライトのアクセス性能を考慮してコピー先物理エクステントを再割り当てした後コピー実行する。【選択図】  図１
2010039547.tif 000002
【特許請求の範囲】
【請求項１】
ホスト装置と接続されたディスクアレイ装置であって、１台以上のディスク装置の記憶領域が連続した１つの領域として定義されるアレイを含み、当該アレイの全領域が分割された複数の物理エクステントのうちの１つ以上の第１の物理エクステントが割り当てられている第１の論理エクステントを含む第１の論理ディスク及び当該第１の論理ディスクに含まれる第１の論理エクステントがコピーされるための第２の論理エクステントを含む第２の論理ディスクを備えるディスクアレイ装置において、論理ディスクの一部または全部のコピーを実行した後、一旦コピー実行及びコピー先論理ディスクへのミラーライトを停止し、再度コピー及びコピー先論理ディスクへのミラーライトを再開する場合に、コピー実行停止中のコピー済み領域へのホストライトアクセスの発生を、エクステント単位で管理し、コピー実行及びホストミラーライト再開後、データ差分が存在するコピー元論理ディスクの論理エクステントに関して、対応するコピー先論理ディスク領域の物理エクステントの割り当てを一旦解放し、該当論理エクステントをコピー実行及びホストミラーライトするにあたって、コピー実行及びホストミラーライトのアクセス性能を考慮してコピー先物理エクステントを再割り当てした後、コピー実行することを特徴とするディスクアレイ装置。
【請求項２】
ホスト装置と接続されたディスクアレイ装置であって、１台以上のディスク装置の記憶領域が連続した１つの領域として定義されるアレイを含み、当該アレイの全領域が分割された複数の物理エクステントのうちの１つ以上の第１の物理エクステントが割り当てられている第１の論理エクステントを含む第１の論理ディスク及び当該第１の論理ディスクに含まれる第１の論理エクステントがコピーされるための第２の論理エクステントを含む第２の論理ディスクを備えるディスクアレイ装置において、論理ディスクの一部または全部のコピーを実行した後、一旦コピー実行及びコピー先論理ディスクへのミラーライトを停止し、再度コピー及びコピー先論理ディスクへのミラーライトを再開する場合に、コピー実行停止中のコピー済み領域へのホストライトアクセスの発生を、エクステント単位で管理し、コピー実行及びホストミラーライト再開後、データ差分が存在するコピー元論理ディスクの論理エクステントに関して、対応するコピー先論理ディスク領域の物理エクステントの割り当てを一旦解放し、該当論理エクステントをコピー実行及びホストミラーライトするにあたって、コピー先物理エクステント相互を物理ディスク上のできるだけ近接した物理エクステントに再割り当てした後、コピー実行することを特徴とするディスクアレイ装置。
【請求項３】
ホスト装置と接続されたディスクアレイ装置であって、１台以上のディスク装置の記憶領域が連続した１つの領域として定義されるアレイを含み、当該アレイの全領域が分割された複数の物理エクステントのうちの１つ以上の第１の物理エクステントが割り当てられている第１の論理エクステントを含む第１の論理ディスク及び当該第１の論理ディスクに含まれる第１の論理エクステントがコピーされるための第２の論理エクステントを含む第２の論理ディスクを備えるディスクアレイ装置において、論理ディスクの一部または全部のコピーを実行した後、一旦コピー実行及びコピー先論理ディスクへのミラーライトを停止し、再度コピー及びコピー先論理ディスクへのミラーライトを再開する場合に、コピー実行停止中のコピー済み領域へのホストライトアクセスの発生を、エクステント単位で管理し、コピー実行及びホストミラーライト再開後、データ差分が存在するコピー元論理ディスクの論理エクステントに関して、対応するコピー先論理ディスク領域の物理エクステントの割り当てを一旦解放し、該当論理エクステントをコピー実行及びホストミラーライトするにあたって、コピー先物理エクステント相互を、互いに異なる物理ディスクの物理エクステントに再割り当てした後、コピー実行することを特徴とするディスクアレイ装置。
【請求項４】
ホスト装置と接続されたディスクアレイ装置であって、１台以上のディスク装置の記憶領域が連続した１つの領域として定義されるアレイを含み、当該アレイの全領域が分割された複数の物理エクステントのうちの１つ以上の第１の物理エクステントが割り当てられている第１の論理エクステントを含む第１の論理ディスク及び当該第１の論理ディスクに含まれる第１の論理エクステントがコピーされるための第２の論理エクステントを含む第２の論理ディスクを備えるディスクアレイ装置において、論理ディスクの一部または全部のコピーを実行した後、一旦コピー実行及びコピー先論理ディスクへのミラーライトを停止し、再度コピー及びコピー先論理ディスクへのミラーライトを再開する場合に、コピー実行停止中のコピー済み領域へのホストライトアクセスの発生を、エクステント単位で管理し、コピー実行及びホストミラーライト再開後、データ差分が存在するコピー元論理ディスクの論理エクステントに関して、対応するコピー先論理ディスク領域の物理エクステントの割り当てを一旦解放し、該当論理エクステントをコピー実行及びホストミラーライトするにあたって、コピー先物理エクステントを、できるだけアクセス負荷の低い物理ディスクの物理エクステントに再割り当てした後、コピー実行することを特徴とするディスクアレイ装置。
【請求項５】
ホスト装置と接続されたディスクアレイ装置であって、１台以上のディスク装置の記憶領域が連続した１つの領域として定義されるアレイを含み、当該アレイの全領域が分割された複数の物理エクステントのうちの１つ以上の第１の物理エクステントが割り当てられている第１の論理エクステントを含む第１の論理ディスク及び当該第１の論理ディスクに含まれる第１の論理エクステントがコピーされるための第２の論理エクステントを含む第２の論理ディスクを備えるディスクアレイ装置において、論理ディスクの一部または全部のコピーを実行した後、一旦コピー実行及びコピー先論理ディスクへのミラーライトを停止し、再度コピー及びコピー先論理ディスクへのミラーライトを再開する場合に、コピー実行停止中のコピー済み領域へのホストライトアクセスの発生を、エクステント単位で管理し、コピー実行及びホストミラーライト再開後、データ差分が存在するコピー元論理ディスクの論理エクステントに関して、対応するコピー先論理ディスク領域の物理エクステントの割り当てを一旦解放し、該当論理エクステントをコピー実行及びホストミラーライトするにあたって、コピー先物理エクステントを、論理エクステントの先頭論理アドレスと物理ディスク上での物理エクステントの先頭物理アドレスがそれぞれ昇順となるように物理ディスク上に割り当て、コピー中にコピー元論理ディスクに対してホスト装置からシーケンシャルライトが発生した場合に、コピー先論理ディスクに対するシーケンシャルライトが、物理ディスク上でもシーケンシャル性が保たれることを特徴とするディスクアレイ装置。
【発明の詳細な説明】
【技術分野】
【０００１】
本発明は、論理ディスクのコピー時にコピー性能を考慮した再配置を行うディスクアレイ装置に関する。
【背景技術】
【０００２】
一般に、ディスクアレイ装置は、複数のディスク記憶装置、例えばハードディスクドライブ（ＨＤＤ：Hard Disk Drive）と、これらのＨＤＤと接続されたアレイコントローラとを備えている。アレイコントローラは、一般に知られる例えばＲＡＩＤ（Redundant Arrays of Inexpensive Disks）の手法により複数のＨＤＤを管理する。つまり、アレイコントローラは、ホスト装置（ホスト計算機）からのデータ読み出し／書き込み要求（リード／ライト要求）に対し、接続された複数のＨＤＤを並列に動かしてデータの読み出し／書き込みを分散して実行することでアクセスの高速化を図ると共に、冗長構成によって信頼性の向上を図っている。
【０００３】
ディスクアレイ装置は、上記した１台以上のＨＤＤの記憶領域が連続した１つの領域として定義されるアレイ（ディスクアレイ）を含む。また、ディスクアレイ装置は、ホスト装置から認識される例えば１台以上のＨＤＤによって構成される論理ディスク（論理ボリューム）を有する。
【０００４】
このようなディスクアレイ装置では、ホスト装置がアクセスを行う論理ディスクと、その論理ディスクを構成する１台以上のＨＤＤから構成されるアレイとの対応関係は固定的である。したがって、システムによっては、実際に論理ディスクとして使用されていない領域の割合が高くなり、無駄が大きい場合がある。
【０００５】
そこで、例えばディスクアレイに含まれるアレイの全領域（物理領域）をエクステント（物理エクステント）という一定サイズに区切って管理し、論理ディスクへのライトアクセスが発生した場合に当該ライトアクセスの対象となる領域に割り当てる（対応する）物理エクステントを実際に確保するという仮想論理ディスク方式が考えられている。
【０００６】
つまり、ディスクアレイ装置では、当該ディスクアレイ装置に含まれるアレイの全領域分割された複数の物理エクステントのうちの１つ以上の物理エクステントが組み合わされることによってホスト装置から認識される論理ディスクが構成される。
【０００７】
このようなディスクアレイ装置は、上記したホスト装置からアクセスされる論理ディスクと当該論理ディスクに割り当てられる物理エクステントとの対応関係を管理し、論理ディスクの作成後にホスト装置から書込み要求を受信する都度、該当する論理ディスク領域に割り当てる物理エクステントを確保するという仮想論理ボリューム機能を備える。
【０００８】
ところで、ディスクアレイ装置では、上記したようにホスト装置から認識される論理ディスクの領域に割り当てられる物理エクステントの配置（物理的な配置）は固定的であり、論理ディスク内のブロックアドレスとそれに対応するディスクアレイやＨＤＤのブロックアドレスは基本的に変化することはない。
【０００９】
一方で、ディスクアレイ装置の論理ディスクの一部または全部のコピーを実行した後、一旦コピー実行及びコピー先論理ディスクへのミラーライトを停止し、再度コピー及びコピー先論理ディスクへのミラーライトを再開する場合に、差分のみをコピーする差分コピー方式に関する技術が開示されている（例えば、特許文献１参照）。
【特許文献１】特開２０００−３３０７３０号公報
【発明の開示】
【発明が解決しようとする課題】
【００１０】
しかしながら、上記したような従来の技術では、差分コピー先である領域相互が物理アドレス上で離れた場所に存在するような場合、ＨＤＤヘッドのシーク時間が大きくなってしまい、コピーライト及びミラーライト性能が低下する場合がある。
【００１１】
また、コピー先物理ディスクが、他の論理ディスクの一部として使用されている場合、コピー先となる物理ディスクの負荷が高く、コピーライト及びミラーライト性能が低下する場合があり、また、ミラーライトの完了を待ってホスト装置からのライトアクセスが完了するような方式の場合、ミラーライト性能の低下は、ホストライト性能の低下を招いてしまう。
【００１２】
また、コピー中にコピー元論理ディスクに対するシーケンシャルライトが実行された場合、コピー先論理ディスクに対してもシーケンシャルライトが実行されるが、コピー先論理ディスクに対応する論理エクステントと物理エクステントの割り当て順序がシーケンシャルになっていない場合、シーケンシャル性が崩れ、性能低下を招いてしまう。
【００１３】
本発明の目的は、論理ディスクの差分コピーを実行する際に、当該コピー先となる論理ディスクに対する物理配置を再配置し、差分コピー実行時にコピー性能及びホストライト性能を向上させることができるディスクアレイ装置を提供することである。
【課題を解決するための手段】
【００１４】
本発明は、ホスト装置と接続されたディスクアレイ装置であって、１台以上のディスク装置の記憶領域が連続した１つの領域として定義されるアレイを含み、当該アレイの全領域が分割された複数の物理エクステントのうちの１つ以上の第１の物理エクステントが割り当てられている第１の論理エクステントを含む第１の論理ディスク及び当該第１の論理ディスクに含まれる第１の論理エクステントがコピーされるための第２の論理エクステントを含む第２の論理ディスクを備えるディスクアレイ装置において、論理ディスクの一部または全部のコピーを実行した後、一旦コピー実行及びコピー先論理ディスクへのミラーライトを停止し、再度コピー及びコピー先論理ディスクへのミラーライトを再開する場合に、コピー実行停止中のコピー済み領域へのホストライトアクセスの発生を、エクステント単位で管理し、コピー実行及びホストミラーライト再開後、データ差分が存在するコピー元論理ディスクの論理エクステントに関して、対応するコピー先論理ディスク領域の物理エクステントの割り当てを一旦解放し、該当論理エクステントをコピー実行及びホストミラーライトするにあたって、コピー実行及びホストミラーライトのアクセス性能を考慮してコピー先物理エクステントを再割り当てした後、コピー実行することを特徴とする。
【発明の効果】
【００１５】
本発明によれば、論理ディスクの差分コピーを実行する際に、当該差分コピー実行に掛かる時間を短縮し、コピー実行中のホストライト性能を改善することができる。
【発明を実施するための最良の形態】
【００１６】
図１は本発明の第１の実施の形態に係わるディスクアレイ装置の説明図である。図１の上部は論理ディスク１２−１及び論理ディスク１２−２の両方のデータ一致化後にスプリット状態とした場合を示しており、図１の下部は論理ディスク１２−１と論理ディスク１２−２とを再度データ一致化（同期）状態とする場合を示している。
【００１７】
最初の状態としては、ホスト装置１１からのライトアクセスは、論理ディスク１２−１及び論理ディスク１２−２の両方に実行される状態となっており同期状態となっている。この状態では、論理ディスク１２−２は、論理ディスク１２−１の複製ボリュームであり、両者のデータは完全に一致している。
【００１８】
論理ディスク１２−１の論理エクステント１３−１Ａ及び論理エクステント１３−１Ｂの２つの論理エクステント１３−１に対して、ＲＡＩＤグループ１４−１上の物理エクステント１５−１Ａ及び物理エクステント１５−１Ｂが対応する。同様に、論理ディスク１２−２の論理エクステント１３−２Ａ及び論理エクステント１３−２Ｂの２つの論理エクステント１３−２に対して、ＲＡＩＤグループ１４−２上の物理エクステント１５−２Ａ及び物理エクステント１５−２Ｂが対応する。論理エクステント１３−１Ａと論理エクステント１３−１Ｂのデータは、それぞれ、論理ディスク１２−２上の論理エクステント１３−２Ａと論理エクステント１３−２Ｂのデータと一致している。
【００１９】
その後、論理ディスク１２−１と論理ディスク１２−２の同期状態を解除（スプリット）すると、ホスト装置１１からのライトアクセスは、論理ディスク１２−１のみに実行される。スプリット後、論理ディスク１２−１に対するライトアクセス有無は、論理エクステント単位で管理され、論理エクステント１３−１Ａ及び論理エクステント１３−１Ｂの２つの論理エクステントに対して、ホスト装置からライトアクセスが発生したとすると、データ差分が存在する論理エクステント１３−１Ａ及び論理エクステント１３−１Ｂに対応する物理エクステントは、それぞれ、ＲＡＩＤグループ１４−１上の物理エクステントである物理エクステント１５−１Ａ及び物理エクステント１５−１Ｂとして管理される。
【００２０】
また、スプリット前の状態で論理エクステント１３−１Ａと論理エクステント１３−１Ｂのデータは、それぞれ、論理ディスク１２−２上の論理エクステント１３−２Ａと論理エクステント１３−２Ｂのデータと一致しており、論理エクステント１３−２Ａ及び論理エクステント１３−２Ｂに対応する物理エクステントは、それぞれ、ＲＡＩＤグループ１４−２上の物理エクステント１５−２Ａ及び物理エクステント１５−２Ｂとして管理される。
【００２１】
上記の状態から、論理ディスク１２−１と論理ディスク１２−２とを再度データ一致化（同期）状態とする場合、論理ディスク１２−１と論理ディスク１２−２の差分データを論理ディスク１２−１から論理ディスク１２−２にコピーすると共に、コピー中のホスト装置１１からのライトアクセスは、論理ディスク１２−１と論理ディスク１２−２との両方に実行される（ミラーライト）。
【００２２】
ホスト装置１１からの論理ディスク１２−１に対するライトアクセスが、論理エクステント１３−１Ａと論理エクステント１３−１Ｂに実行されている場合、論理エクステント１３−１Ａから論理エクステント１３−２Ａ、及び、論理エクステント１３−１Ｂから論理エクステント１３−２Ｂへのコピーがそれぞれ実行されると共に、論理エクステント１３−１Ａ及び論理エクステント１３−１Ｂに対するホスト装置１１からのライトアクセスは、それぞれ、論理エクステント１３−２Ａ及び論理エクステント１３−２Ｂに対してミラーライトされる。
【００２３】
この場合の論理エクステント１３−２Ａ及び論理エクステント１３−２Ｂへのコピーライト及びミラーライトは、物理エクステント１５−２Ａ及び物理エクステント１５−２Ｂに対して実行されるが、例えば、物理エクステント１５−２Ａと物理エクステント１５−２Ｂとが、同一のＲＡＩＤグループであるＲＡＩＤグループ１４−２に所属し、さらに、２つの物理エクステントの物理ディスク上でのアドレス距離が離れている場合、２つの物理エクステントに発生するライトアクセスによって、ＨＤＤのシーク時間が長くなり、アクセス性能が低下してしまう。
【００２４】
そこで、第１の実施の形態では、コピー実行及びホストミラーライト再開後、データ差分が存在するコピー元論理ディスクの論理エクステント１３−１Ａ及び論理エクステント１３−１Ｂに関して、対応するコピー先論理ディスク領域の物理エクステント１５−２Ａ及び物理エクステント１５−２Ｂの割り当てを一旦解放し、該当論理エクステントをコピー実行及びホストミラーライトするにあたって、コピー実行及びホストミラーライトのアクセス性能を考慮してコピー先物理エクステントを再割り当てした後にコピー実行する。これにより、当該差分コピー実行に掛かる時間を短縮し、コピー実行中のホストライト性能を改善することができる。
【００２５】
図２は本発明の第２の実施の形態に係わるディスクアレイ装置の説明図である。この第２の実施の形態は、図１に示した第１の実施の形態に対し、該当論理エクステントをコピー実行及びホストミラーライトするにあたって、コピー実行及びホストミラーライトのアクセス性能を考慮してコピー先物理エクステントを再割り当てした後にコピー実行することに代えて、コピー先物理エクステントを物理ディスク上のできるだけ近接した物理エクステントに再割り当てした後にコピー実行するようにしたものである。図１と同一要素には、同一符号を付し重複する説明は省略する。
【００２６】
図２に示すように、再同期実施前に、論理エクステント１３−２Ａ、１３−２Ｂと物理エクステント１５−２Ａ、１５−２Ｂとの対応関係を一旦解放し、それらをコピーライト及びミラーライトの性能ができるだけ低下することのない物理エクステント、すなわち、２つの物理エクステントへのアクセス時にシーク距離が短くなるような物理エクステント、図２の例では、ＲＡＩＤグループ１４−２上で物理エクステント１５−２Ａ１と近接関係にある物理エクステント１５−２Ｂ１に再配置を行う。この場合、物理エクステント１５−２Ａ、１５−２Ｂのいずれか一方は先の場所と同じ位置にし、他方の物理エクステントを物理ディスク上のできるだけ近接した物理エクステントに再割り当てするようにしてもよい。これにより、再同期に伴うコピーライト及びミラーライト性能の向上を図ることができる。
【００２７】
図３は本発明の第３の実施の形態に係わるディスクアレイ装置の説明図である。この第３の実施の形態は、図１に示した第１の実施の形態に対し、該当論理エクステントをコピー実行及びホストミラーライトするにあたって、コピー実行及びホストミラーライトのアクセス性能を考慮してコピー先物理エクステントを再割り当てした後にコピー実行することに代えて、コピー先物理エクステント相互を互いに異なる物理ディスクの物理エクステントに再割り当てした後にコピー実行するようにしたものである。図１と同一要素には、同一符号を付し重複する説明は省略する。
【００２８】
再同期実施前に、論理エクステント１３−２Ａ、１３−２Ｂと物理エクステント１５−２Ａ、１５−２Ｂとの対応関係を一旦解放し、コピー先物理エクステント相互を、互いに異なる物理ディスク１４−２Ａ、１４−２Ｂの物理エクステント１５−２Ａ’及び物理エクステント１５−２Ｂ’に再割り当てした後にコピー実行する。これにより、ＲＡＩＤグループ１４−２に属する物理エクステントで、ホスト装置１１からアクセスされる別の論理ディスクに対応付けられている物理エクステントが存在するような場合であってもアクセス性能が低下することがなく、再同期に伴うコピーライト及びミラーライト性能の向上を図ることができる。
【００２９】
図４は本発明の第４の実施の形態に係わるディスクアレイ装置の説明図である。この第４の実施の形態は、図１に示した第１の実施の形態に対し、該当論理エクステントをコピー実行及びホストミラーライトするにあたって、コピー実行及びホストミラーライトのアクセス性能を考慮してコピー先物理エクステントを再割り当てした後にコピー実行することに代えて、コピー先物理エクステントを、できるだけアクセス負荷の低い物理ディスク１４−２Ｊの物理エクステント１５−２Ａ’に再割り当てした後にコピー実行するようにしたものである。
【００３０】
なお、図１の論理ディスク１２−１では、論理エクステント１３−１Ａ及び論理エクステント１３−１Ｂの２つの論理エクステント１３−１を示しているが、
図４の論理ディスク１２−１では１つの論理エクステント１３−１Ａの場合を示している。図１と同一要素には、同一符号を付し重複する説明は省略する。
【００３１】
図４において、論理ディスクの一部または全部のコピーを実行した後、一旦コピー実行及びコピー先論理ディスクへのミラーライトを停止し、再度コピー及びコピー先論理ディスクへのミラーライトを再開する場合に、コピー実行停止中のコピー済み領域へのホストライトアクセスの発生を、エクステント単位で管理し、コピー実行及びホストミラーライト再開後、データ差分が存在するコピー元論理ディスクの論理エクステント１３−１Ａに関して、対応するコピー先論理ディスク領域の物理エクステント１５−２Ａの割り当てを一旦解放し、該当論理エクステントをコピー実行及びホストミラーライトするにあたって、コピー先物理エクステントを可能な限りアクセス負荷の低い物理ディスク１４−２Ｊの物理エクステント１５−２Ａ’に再割り当てした後にコピー実行する。これにより、再同期に伴うコピーライト及びミラーライト性能の向上を図ることができる。
【００３２】
図５は本発明の第５の実施の形態に係わるディスクアレイ装置の説明図である。この第５の実施の形態は、図１に示した第１の実施の形態に対し、該当論理エクステントをコピー実行及びホストミラーライトするにあたって、コピー実行及びホストミラーライトのアクセス性能を考慮してコピー先物理エクステントを再割り当てした後にコピー実行することに代えて、コピー先物理エクステントを、論理エクステントの先頭論理アドレスと物理ディスク上での物理エクステントの先頭物理アドレスがそれぞれ昇順となるように物理ディスク上に割り当て、コピー中にコピー元論理ディスクに対してホスト装置１１からシーケンシャルライトが発生した場合に、コピー先論理ディスクに対するシーケンシャルライトが物理ディスク上でもシーケンシャル性が保たれるようにしたものである。
【００３３】
図５の上部は論理ディスク１２−１及び論理ディスク１２−２の両方のデータ一致化後にスプリット状態とした場合を示しており、図５の下部は論理ディスク１２−１と論理ディスク１２−２とを再度データ一致化（同期）状態とする場合を示している。
【００３４】
最初の状態として、論理ディスク１２−２は、論理ディスク１２−１の複製ボリュームであり、両者のデータは完全に一致している。ホスト装置１１からのライトアクセスは、論理ディスク１２−１及び論理ディスク１２−２の両方に実行される状態となっており、同期状態となっている。その後、論理ディスク１２−１と論理ディスク１２−２の同期状態を解除（スプリット）し、ホスト装置１１からのライトアクセスは、論理ディスク１２−１のみに実行される。このとき、例えば論理ディスク１２−１に対して、シーケンシャルライトが発生したような場合を考える。
【００３５】
スプリット後、論理ディスク１２−１に対するライトアクセス有無は、論理エクステント単位で管理され、スプリット後にホスト装置１１からシーケンシャルライトが実行されていたような場合、図５に示すように、論理ディスク１２−１と論理ディスク１２−２のデータ差分は、連続した複数の論理エクステント１３−１Ａ〜１３−１Ｎとなる。
【００３６】
論理ディスク１２−１の複製ボリュームである論理ディスク１２−２において、それらデータ差分に対応する複数の論理エクステント１３−１Ａ〜１３−１Ｎに割り当てられている物理エクステント１５−１Ａ〜１５−１Ｎは、図５に示すように、一般には連続しているとは限らないため、論理ディスク１２−１と論理ディスク１２−２を再度データ一致化（同期）状態とする場合、論理ディスク１２−１と論理ディスク１２−２の差分データを論理ディスク１２−１から論理ディスク１２−２にコピーすると共に、コピー中のホスト装置１１からのライトアクセスは、論理ディスク１２−１と論理ディスク１２−２の両方に実行される（ミラーライト）が、ライトアクセスがシーケンシャルライトであった場合、論理ディスク１２−２に対するミラーライトは、物理ディスク上ではシーケンシャル性が崩れ、アクセス性能低下を招く場合がある。
【００３７】
そこで、第５の実施の形態では、再同期実施前に、論理ディスク１２−２の論理ディスク１２−１との差分に相当する複数の論理エクステント１３−１Ａ〜１３−１Ｎに関する物理エクステントとの対応関係を一旦解放し、それらをＲＡＩＤグループ１４−２上で論理アドレスが昇順となるように再配置する。これによって、論理ディスク１２−２に対するシーケンシャルライト性能の向上を図ることができ、同期中のホストライトがコピー先の論理ディスクへミラーライトされ、完了を待ってホスト装置１１へ応答が返るような場合、ホスト装置１１から論理ディスク１２−１へのシーケンシャルライト性能も向上させることができる。
【図面の簡単な説明】
【００３８】
【図１】本発明の第１の実施の形態に係わるディスクアレイ装置の説明図。
【図２】本発明の第２の実施の形態に係わるディスクアレイ装置の説明図。
【図３】本発明の第３の実施の形態に係わるディスクアレイ装置の説明図。
【図４】本発明の第４の実施の形態に係わるディスクアレイ装置の説明図。
【図５】本発明の第５の実施の形態に係わるディスクアレイ装置の説明図。
【符号の説明】
【００３９】
１１…ホスト装置、１２…論理ディスク、１３…論理エクステント、１４…ＲＡＩＤグループ、１５…物理エクステント
【図１】
2010039547.tif 000003
【図２】
2010039547.tif 000004
【図３】
2010039547.tif 000005
【図４】
2010039547.tif 000006
【図５】
2010039547.tif 000007